(57)【要約】【課題】バックライトの発光輝度の経年変化及び周囲光の明るさも考慮して、バックライトの発光輝度を制御することが可能な液晶表示装置を提供する。【解決手段】蛍光管を有するバックライト２０と、バックライト２０から照射されるバックライト光によって照明される液晶パネル３０と、光検出素子１９及びバックライト輝度検出回路１５で例示するバックライト光の輝度を測定する輝度センサと、光検出素子１１及び外光輝度検出回路１２で例示する外光の輝度を測定する外光センサと、輝度センサで測定されたバックライト光の輝度及び外光センサで測定された外光の輝度に従って、バックライト２０の発光輝度を制御するバックライト制御回路１３と、を備える。【選択図】図１
2008009090.tif 000002
【特許請求の範囲】
【請求項１】
蛍光管を有するバックライトと、該バックライトから照射されるバックライト光によって照明される液晶パネルとを備えた液晶表示装置であって、前記バックライト光の輝度を測定する輝度センサと、外光の輝度を測定する外光センサと、前記輝度センサで測定されたバックライト光の輝度及び前記外光センサで測定された外光の輝度に従って、前記バックライトの発光輝度を制御するバックライト制御手段と、を備えたことを特徴とする液晶表示装置。
【請求項２】
前記輝度センサは、前記バックライト光の輝度を直接検出する位置、或いは前記バックライト光の輝度を前記液晶パネルを介して検出する位置に配設されることを特徴とする請求項１に記載の液晶表示装置。
【請求項３】
前記輝度センサは、前記バックライト光の輝度を他の液晶パネルを介して検出する位置に配設され、該他の液晶パネルは、前記液晶パネルと同じ性質で表示領域が小さいものであることを特徴とする請求項１に記載の液晶表示装置。
【請求項４】
前記バックライト制御手段は、前記バックライトを駆動する駆動電圧を制御することで、前記バックライトの発光輝度を制御することを特徴とする請求項１乃至３のいずれか１項に記載の液晶表示装置。
【請求項５】
前記バックライト制御手段は、前記バックライトが新規使用状態にあるときの発光可能輝度に比べ、前記新規使用状態で制御する際の前記バックライトの発光輝度の上限値を、予め低く設定しておくことを特徴とする請求項１乃至４のいずれか１項に記載の液晶表示装置。
【請求項６】
前記バックライト光の色温度を測定する色温度センサと、該色温度センサで測定された色温度に従って、表示画像の色温度を調整する色温度調整手段と、を備えたことを特徴とする請求項１乃至５のいずれか１項に記載の液晶表示装置。
【請求項７】
前記色温度センサは、前記バックライト光の色温度を直接検出する位置、或いは前記バックライト光の色温度を前記液晶パネルを介して検出する位置に配設されることを特徴とする請求項６に記載の液晶表示装置。
【請求項８】
前記色温度センサは、前記バックライト光の色温度を他の液晶パネルを介して検出する位置に配設され、該他の液晶パネルは、前記液晶パネルと同じ性質で表示領域が小さいものであることを特徴とする請求項６に記載の液晶表示装置。
【請求項９】
外光の色温度を測定する外光色温度センサを備え、前記色温度調整手段は、前記外光色温度センサで測定された色温度に従って、表示画像の色温度を調整することを特徴とする請求項６乃至８のいずれか１項に記載の液晶表示装置。
【請求項１０】
前記バックライトは、前記蛍光管の他にＬＥＤを有することを特徴とする請求項１乃至９のいずれか１項に記載の液晶表示装置。
【請求項１１】
前記バックライトは、前記蛍光管の他にＬＥＤを有し、前記色温度調整手段は、前記バックライト制御手段での蛍光管の発光輝度の制御によって色温度を調整する手段を有することを特徴とする請求項６乃至９のいずれか１項に記載の液晶表示装置。
【発明の詳細な説明】
【技術分野】
【０００１】
本発明は、液晶表示装置に関し、より詳細には、バックライト光を制御して照射することが可能な液晶表示装置に関する。
【背景技術】
【０００２】
液晶表示装置は、液晶パネルとその液晶パネルを背面や側面などから照射するバックライトとを主に備えてなる。バックライトとしては、一般的に冷陰極蛍光ランプ（ＣＣＦＬ：Cold Cathode Fluorescent Lamp）や外部（管外）電極蛍光ランプ（ＥＥＦＬ：External Electrode Fluorescent Lamp）等の蛍光管が具備されており、近年、ＬＥＤを用いたＬＥＤバックライトや、色再現性の向上のために蛍光管及びＬＥＤを併用するハイブリッド型バックライトも注目されている。ハイブリッド型バックライトとしては、図５で例示するように蛍光管が赤色の強度が低いスペクトル特性をもつことから、蛍光管と赤色ＬＥＤとを組み合わせてなるものが多い。
【０００３】
図６は、蛍光管の輝度の経年変化の一例を示す図で、図６（Ａ）は片対数グラフ、図６（Ｂ）は方眼グラフでそれぞれ示している。バックライトの光源として使用する蛍光管は、図６で例示したように、長時間使用することでその発光効率が低下するため、徐々に暗くなっていく。蛍光管の発光効率の低下は、その電極や発光素子の劣化等により生ずるものである。
【０００４】
特許文献１には、バックライトの光量を検出するための光検出手段、ユーザが所望の輝度となるように設定するための輝度設定手段、及び新規使用状態にあるバックライトが最大輝度で点灯しているときの光検出手段の検出出力を基準とし、輝度設定手段によって設定された輝度となるようにバックライトの輝度を制御する制御手段を備えた、液晶表示装置用バックライトの輝度制御装置が開示されている。この輝度制御装置は、バックライトの輝度の個体差によるばらつきや光検出手段自体の感度のばらつきによる影響をキャンセルし、正確な輝度低下を把握し得る装置であり、バックライト及び光検出手段に対するキャリブレーション用として用いられる。
【０００５】
また、バックライトは、実際には輝度の低下のみならず、発色の度合い（色見）すなわち色温度も経年変化していく。図７は、蛍光管における輝度と色温度との関係の一例を示す図である。図７で例示したように、蛍光管の輝度と色温度とはほぼ反比例の関係にあり、従って、蛍光管は輝度の経年劣化に伴い色温度が高くなる傾向にある。但し、輝度の経年変化と色温度の経年変化のペースは異なる。そして、バックライトの色温度の経年変化により、表示画像の色温度も経年変化してしまう。
【０００６】
さらに、特許文献２には、バックライトの輝度だけでなく液晶パネルのコントラストをも制御し、画面の輝度を調整するコントラスト補正装置が開示されている。このコントラスト補正装置は、電源回路の出力電圧を時間経過とともに変化させる手段を備えることで、輝度の劣化に起因するコントラスト低下を補正しており、さらに使用時間経過とともに液晶パネルに入力する映像信号レベルを変化させる映像信号レベル制御手段を備えることで、コントラスト劣化を補正している。
【０００７】
一方で、特許文献３には、周囲の照度を検出し自動的に蛍光管の輝度を最適値に調整し、消費電力の低減を図る蛍光管点灯装置が開示されている。
【特許文献１】特許第３１９３３１５号公報
【特許文献２】特開平６−１６７６９５号公報
【特許文献３】特開平５−３６４８７号公報
【発明の開示】
【発明が解決しようとする課題】
【０００８】
しかしながら、特許文献１−３をはじめとする従来技術においては、外光とバックライト光との実測値に基づいてバックライトの発光輝度を制御していないため、バックライトの発光輝度の経年変化だけでなく液晶表示装置周りの現在の環境（周囲の明るさ）に合うように発光輝度を制御することができない。
【０００９】
例えば、特許文献１に記載の装置は、バックライトの新規使用状態の最大輝度を記憶し、蛍光管の劣化に伴う輝度の減少率を把握することは可能であるが、周囲の明るさに応じたバックライトの発光輝度制御ができないだけでなく、全て新規使用状態を基準にしてバックライトの輝度を制御するため、数年後にユーザが輝度設定を例えば９５％にしたとしても、その設定値の輝度を実現できる能力が、蛍光管には既に無くなってしまっている。
【００１０】
特許文献２に記載の装置であっても、周囲の明るさに応じたバックライトの発光輝度制御ができないだけでなく、予め予想されたバックライト寿命特性に基づき時間経過とともに発光輝度を制御しており、バックライトが実際に個体差が大きいこともあって、この制御が実際のバックライトの劣化に合致することは非常に稀である。一方で、特許文献４に記載の装置は、バックライトの経年変化を補う発光輝度の制御ができるものではない。
【００１１】
また、上述のごとくハイブリッド型のバックライトは、蛍光管のみのバックライトでは赤色の色再現性が不足することが多いため、赤色のＬＥＤと蛍光管との組み合わせにより構成する場合が多いが、このような組み合わせにおいては、上述した経年変化による色温度の変化が特に顕著となってしまう。これは、蛍光管とＬＥＤとでは経年劣化による輝度及び色度の変化量がそれぞれで異なるためである。蛍光管の場合、基本的に青色の成分が減衰し易い傾向にあり、ＬＥＤも経年変化によって蛍光体の変色が起こる場合があるが、蛍光管の経年変化はＬＥＤの経年変化に比べてかなり大きいものとなる。従って、例えば上述したような、赤色を補完するために赤色ＬＥＤを用いたハイブリッド型の表示装置では、赤色系の色見が強くなり、当初の設定とは大きくずれるということになる。
【００１２】
バックライトは、上述のごとく経年変化により色温度も変化するため、特許文献１−３をはじめとする従来技術のように画面の輝度のみに着目した手段では、経年変化により表示画像の色見（画面の色見）が当初ユーザが設定していたものとは違うものとなるので、必要に応じてその色温度をユーザが再設定する必要が生じる。
【００１３】
本発明は、上述のごとき実情に鑑みてなされたものであり、バックライトの発光輝度の経年変化及び周囲光の明るさも考慮して、バックライトの発光輝度を制御することが可能な液晶表示装置を提供することを、その目的とする。
【００１４】
また、本発明は、バックライトの発光輝度の経年変化及び周囲光の明るさも考慮して、バックライトの発光輝度を制御するとともに、バックライトの色温度の経年変化も考慮して、表示画像の色温度を調整することが可能な液晶表示装置を提供することを、他の目的とする。
【課題を解決するための手段】
【００１５】
上記目的を達成するために、本発明の第１の技術手段は、蛍光管を有するバックライトと、該バックライトから照射されるバックライト光によって照明される液晶パネルとを備えた液晶表示装置であって、前記バックライト光の輝度を測定する輝度センサと、外光の輝度を測定する外光センサと、前記輝度センサで測定されたバックライト光の輝度及び前記外光センサで測定された外光の輝度に従って、前記バックライトの発光輝度を制御するバックライト制御手段と、を備えたことを特徴としたものである。
【００１６】
第２の技術手段は、第１の技術手段において、前記輝度センサは、前記バックライト光の輝度を直接検出する位置、或いは前記バックライト光の輝度を前記液晶パネルを介して検出する位置に配設されることを特徴としたものである。
【００１７】
第３の技術手段は、第１の技術手段において、前記輝度センサは、前記バックライト光の輝度を他の液晶パネルを介して検出する位置に配設され、該他の液晶パネルは、前記液晶パネルと同じ性質で表示領域が小さいものであることを特徴としたものである。
【００１８】
第４の技術手段は、第１乃至第３のいずれかの技術手段において、前記バックライト制御手段は、前記バックライトを駆動する駆動電圧を制御することで、前記バックライトの発光輝度を制御することを特徴としたものである。
【００１９】
第５の技術手段は、第１乃至第４のいずれかの技術手段において、前記バックライト制御手段は、前記バックライトが新規使用状態にあるときの発光可能輝度に比べ、前記新規使用状態で制御する際の前記バックライトの発光輝度の上限値を、予め低く設定しておくことを特徴としたものである。
【００２０】
第６の技術手段は、第１乃至第５のいずれかの技術手段において、前記バックライト光の色温度を測定する色温度センサと、該色温度センサで測定された色温度に従って、表示画像の色温度を調整する色温度調整手段と、を備えたことを特徴としたものである。
【００２１】
第７の技術手段は、第６の技術手段において、前記色温度センサは、前記バックライト光の色温度を直接検出する位置、或いは前記バックライト光の色温度を前記液晶パネルを介して検出する位置に配設されることを特徴としたものである。
【００２２】
第８の技術手段は、第６の技術手段において、前記色温度センサは、前記バックライト光の色温度を他の液晶パネルを介して検出する位置に配設され、該他の液晶パネルは、前記液晶パネルと同じ性質で表示領域が小さいものであることを特徴としたものである。
【００２３】
第９の技術手段は、第６乃至第８のいずれかの技術手段において、外光の色温度を測定する外光色温度センサを備え、前記色温度調整手段は、前記外光色温度センサで測定された色温度に従って、表示画像の色温度を調整することを特徴としたものである。
【００２４】
第１０の技術手段は、第１乃至第９のいずれかの技術手段において、前記バックライトは、前記蛍光管の他にＬＥＤを有することを特徴としたものである。
【００２５】
第１１の技術手段は、第６乃至第９のいずれかの技術手段において、前記バックライトは、前記蛍光管の他にＬＥＤを有し、前記色温度調整手段は、前記バックライト制御手段での蛍光管の発光輝度の制御によって色温度を調整する手段を有することを特徴としたものである。
【発明の効果】
【００２６】
本発明によれば、液晶表示装置において、バックライトの発光輝度の経年変化及び周囲光の明るさも考慮して、バックライトの発光輝度を制御することが可能となる。
【００２７】
また、本発明の他の形態によれば、液晶表示装置において、バックライトの発光輝度の経年変化及び周囲光の明るさも考慮して、バックライトの発光輝度を制御するとともに、バックライトの色温度の経年変化も考慮して、表示画像の色温度を調整することが可能となる。
【発明を実施するための最良の形態】
【００２８】
図１は、本発明の一実施形態に係る液晶表示装置の一構成例を示すブロック図、図２は、図１の液晶表示装置における一部構成要素の配置を例示する概略図で、図中、１は液晶表示装置である。
【００２９】
図１で例示する液晶表示装置１は、光検出素子１１、外光輝度検出回路１２、バックライト制御回路１３、バックライト駆動回路１４、バックライト輝度検出回路１５、ＭＰＵ（Microprocessing Unit）１６、バックライト色温度検出回路１７、色温度検出素子１８、光検出素子１９、バックライト２０、信号処理回路２１、画質調整回路２２、及び液晶パネル３０を備える。なお、ＭＰＵ１６は、バックライト輝度検出回路１５及びバックライト色温度検出回路１７から受け取ったデータに基づき画質調整回路２２を制御するものとして図示しているが、バックライト輝度検出回路１５及びバックライト色温度検出回路１７に対して検出タイミングを制御したり、液晶表示装置１に具備された他の構成要素も直接或いは間接的に制御するものとする。
【００３０】
信号処理回路２１は、図示しないチューナ、記録媒体、外部機器などから表示対象として選択して出力された映像信号に対し、各種映像信号処理を施して、処理後の映像信号を画質調整回路２２へ出力する。各種映像信号処理とは、例えば必要に応じた映像分離処理、必要に応じたＩＰ変換やスケーリング等、映像信号を液晶パネル３０の表示方式及び解像度のデータに変換する映像信号変換処理、必要に応じたＡＤ変換処理などがそれに該当する。また、液晶表示装置１は、具備される表示対象の映像信号の取得手段によって、例えばテレビジョン受像機、各種レコーダ、パーソナルコンピュータの表示モニタなどとして機能することとなる。
【００３１】
画質調整回路２２は、信号処理回路２１から出力された映像信号に対し、各種画質調整処理を施して、液晶パネル３０へ出力する。各種画質調整処理とは、例えばカラーマネージメントをはじめとする映像の色を補正する色補正処理、デジタルフィルタによる映像のエッジ強調等の画質強調補正処理やノイズリダクション、映像の動きに基づき液晶パネル３０の液晶セルに通常より高い電圧を印加して動画応答性を高める処理、映像のγ特性をγテーブルに従って変更して映像のトーンを調整するγ補正処理などがそれに該当する。なお、信号処理回路２１と画質調整回路２２とを分けて図示しているが、信号処理回路２１側でエッジ強調も含めたＩＰ変換を行うなど様々な構成が可能であり、これに限ったものではない。
【００３２】
また、液晶表示装置１では、通常、内蔵するフォントデータ又はビットマップデータによりオンスクリーン信号を生成して、画質調整回路２２の後段又は前段でオンスクリーン信号を映像信号に重畳することもなされる。
【００３３】
液晶パネル３０は、入力された映像信号（ここでは画質調整回路２２から出力された映像信号）を表示するパネルであり、例えばアクティブマトリクス型や単純型のパネルなどを指す。液晶パネル３０は、主として、液晶セル、ソースドライバ、ゲートドライバ、及びそれらドライバを制御する液晶コントローラを備える。液晶コントローラは、入力映像信号に従ってソースドライバに出力する階調データ及び信号線制御信号を生成するとともに、ゲートドライバに出力する走査線制御信号を生成し、液晶セルにおける画像表示制御を行う。また、液晶コントローラは、バックライト制御回路１３へ出力するバックライト制御信号の生成も行うことで、バックライト２０の発光駆動制御を間接的に行う。
【００３４】
バックライト２０は、その構成を図示しないが、液晶パネル３０を背面から照射するＣＣＦＬやＥＥＦＬ等の蛍光管を１又は複数本、各蛍光管から発光した光を液晶パネル３０側に有効に照射するための反射シート又は反射板、各蛍光管からの発光及び反射板等による反射光を拡散させる拡散板や色むら防止の拡散シート、及びこれらを収納するための筐体を、一般的に備える。なお、図２等では、拡散シートや拡散板２３をバックライト２０と分かり易く別々に図示しているが、一般的に、拡散シートや拡散板２３も合わせてバックライト或いはバックライトユニットと呼ぶ。バックライト２０からの光供給によって液晶パネル３０の各画素では所定の階調電圧に応じた光透過率によって各画素の明るさが制御され、映像情報を画面上に表示することが可能となる。但し、バックライト２０は上述のごとき直下型に限ったものではなく、エッジライト型であってもよい。エッジライト型のバックライトは、バックライト２０から発せられた光を、端面から入射させ、出射した光により液晶パネル３０を背面から照射するための導光板と備えたものである。
【００３５】
バックライト駆動回路１４は、バックライト２０（ここでは蛍光管）を駆動するインバータ回路を主たる構成要素とし、バックライト制御回路１３によって駆動電圧が制御される。バックライト制御回路１３は、基本的にＭＰＵ１６によって制御され、本発明ではその制御にバックライト光及び外光の検出値が用いられる。
【００３６】
光検出素子１１は外光を検出する素子であり、外光輝度検出回路１２は光検出素子１１での検出値から外光の輝度を算出し、その輝度に基づき外光用輝度調整データを生成し、バックライト制御回路１３へ出力する。光検出素子１１及び外光輝度検出回路１２は、双方で外光の輝度を測定する外光センサを構成する。光検出素子（外光用光検出素子）１１は、図２では液晶パネル３０と離間した位置に図示しているが、実際には液晶パネル３０の筐体に設ければよい。このように、本発明では、外光に対しては少なくとも輝度が測定できればよく、好ましくは後述するように、外光の色温度も測定できればよい。なお、後述する本発明の制御においては、実質的にセンサにて輝度を測定することとセンサにて例えば光量を測定することとは同義である。
【００３７】
光検出素子１９はバックライト光を検出する素子であり、バックライト輝度検出回路１５は、光検出素子１９での検出値からバックライト光の輝度を算出して、その輝度に基づき輝度調整データを生成し、バックライト制御回路１３へ出力する。光検出素子１９及びバックライト輝度検出回路１５は、双方でバックライト光の輝度を測定する輝度センサを構成する。
【００３８】
ここで、輝度センサ（少なくとも光検出素子１９）は、バックライト光の輝度を直接検出する位置、或いはバックライト光の輝度を液晶パネル３０を介して検出する位置に配設される。前者の場合、図２でバックライト用光検出素子１９を図示しているようにバックライト光が直接及び反射されて入射する位置であって、特に、バックライト光が平均化される位置に配設されることが好ましい。後者の場合、図２で表示画面用光検出素子３２を図示しているが、実際には視聴の妨げにならない位置であることが好ましく、例えば液晶パネル３０の枠において、表示画面との境界に表示画面側を向けて配設するなどすればよい。なお、図２ではバックライト用光検出素子１９と表示画面用光検出素子３２を双方図示しているが、実際にこれらの素子を併設して、後述の発光輝度制御は全ての素子の検出値に基づいて実行するよう構成してもよい。
【００３９】
バックライト制御回路１３は、光検出素子１９及びバックライト輝度検出回路１５で検出したバックライト２０の輝度（上述した輝度調整データ）と、光検出素子１１及び外光輝度検出回路１２で検出した外光の輝度（上述した外光用輝度調整データ）に基づき、バックライト駆動回路１４の駆動電圧を通常の駆動電圧に対して補正（上げ下げ）して動作させるよう制御することで、バックライト２０の発光輝度を調整する。なお、ここでいう通常の駆動電圧とは、デフォルトで或いはユーザにより設定されている駆動電圧を指す。
【００４０】
例えば、駆動電圧Ｖを新品の蛍光管に印加した場合に対し、同一駆動電圧Ｖを５年使用した蛍光管に印加した場合には実際の発光輝度が下がることとなるので、バックライト制御回路１３では、５年使用したときには或る駆動電圧で駆動したときの実際の発光輝度をバックライト光の実測値から得て、その値をフィードバックして駆動電圧を上げ、最終的にバックライト光の実測値が制御目標の輝度となるまでこの処理を繰り返す。また、ここでの制御目標の輝度は、外光の実測値が大きければ上げ、小さければ下げるなどすることで、外光に対する制御を実現することができる。このようにして、バックライト制御回路１３は、実測輝度（外光及びバックライト光）に基づき、バックライト２０の経年劣化による輝度低下をバックライト駆動回路１４の駆動電圧で補正する。
【００４１】
また、バックライト制御回路１３は、バックライト２０が新規使用状態にあるときの発光可能輝度（発光輝度の最大値）に比べ、新規使用状態で制御する際のバックライト２０の発光輝度の上限値（制御目標値の上限）を、予め低く設定しておくことが好ましい。例えば、予めバックライト２０の最高輝度を１００％でなく７０％程度にしておき、経年劣化に応じて自己補正するとよい。ここで、自己補正とは、駆動電圧とその駆動電圧で駆動したときのバックライト光の実測輝度値との関係をフィードバックさせることで発光輝度の上限を補正してもよいし、単純にバックライト２０の点灯時間に応じて上限を変化させていってもよい。このような設定により、消費電力の低減が可能となるだけでなく、年数がある程度経過しても新規使用状態と同じ発光輝度を得ることが可能となる。
【００４２】
また、画質調整回路２２は、信号処理回路２１から出力された映像信号に対し、検出したバックライト光の輝度（及び検出した外光の輝度）に基づき、すなわちバックライト制御回路１３で制御される発光輝度に基づき、表示画像のコントラストを調整することが好ましい。実際、ＭＰＵ１６がコントラスト調整データに基づき画質調整回路２２を制御する信号を生成・出力し、画質調整回路２２を制御することにより、液晶パネル３０上で任意の明るさの表示が可能となる。そして、バックライト輝度検出回路１５が、バックライト制御回路１３で制御される発光輝度に対応したコントラスト調整用データを生成し、ＭＰＵ１６に渡すようにしておくことで、液晶パネル３０上で、検出したバックライト光の輝度（及び検出した外光の輝度）に合ったコントラストでの画像表示が可能となる。
【００４３】
以上、バックライト２０単体の輝度を測定するセンサと外光の輝度を測定するセンサとを設けて、バックライト２０の輝度を制御して画像表示部の明るさを適正に調整しているので、経年変化でバックライト２０用の蛍光管が劣化して発光効率が低下しても、表示画面上はその明るさを常に一定の状態で維持できる。従って、製品使用初期時から末期時まで安定した画質で映像を表示することができる。また、外光（環境光）の明るさに対する画面の見え方に関しても補正が可能となるため、より最適な視聴環境を提供できる。また、液晶パネル３０を介してバックライト光の輝度を測定する構成を採用することで、液晶パネル３０の透過率特性が経年変化しても、表示画面上はその明るさを常に一定の状態で維持できる。
【００４４】
また、図示したように、液晶表示装置１には色温度検出素子１８及び色温度検出回路１７を備えることが好ましい。色温度検出素子１８はバックライト光の色温度を検出する素子であり、バックライト色温度検出回路１７は色温度検出素子１８で検出されたバックライト光の色温度に基づきカラー調整データを生成し、ＭＰＵ１６へ出力する。色温度検出素子１８及び色温度検出回路１７は、双方でバックライト光の色温度（色見）を測定する色温度センサを構成する。この色温度センサは、複数の検出素子からなる色温度検出素子１８により入射光の複数の光成分を個別に検出して、色温度検出回路１７にて色温度を算出するなどすればよい。
【００４５】
ここで、色温度センサ（少なくとも光検出素子１８）も、輝度センサと同様に、バックライト光の色温度を直接検出する位置、或いはバックライト光の色温度を液晶パネル３０を介して検出する位置に配設されるとよい。前者の場合、図２で図示したバックライト用光検出素子１９と同様に配置すればよい。後者の場合、図２で表示画面用色検出素子３１を図示しているが、実際には視聴の妨げにならない位置であることが好ましく、例えば液晶パネル３０の枠において、表示画面との境界に表示画面側を向けて配設するなどすればよい。
【００４６】
ＭＰＵ１６は、色温度センサで測定された色温度に従って生成されたカラー調整データに基づき、表示画像の色温度を調整するように画質調整回路２２を制御する画質調整データを生成し、画質調整回路２２に渡し、画質調整回路２２を制御することにより、液晶パネル３０上で表示画像の色温度（を含む画質）を調整した表示が可能となる。
【００４７】
上述したように、検出したバックライト光や外光の輝度に基づくコントラスト調整も併せて実行する場合には、ＭＰＵ１６が、受信したコントラスト調整データ及びカラー調整データに基づき画質調整回路２２を制御する画質調整データを生成・出力し、画質調整回路２２を制御することにより、液晶パネル３０上で、検出したバックライト光の輝度（及び検出した外光の輝度）並びに検出したバックライト光の色温度に合ったコントラスト並びに色温度（色見）での画像表示が可能となる。
【００４８】
また、液晶表示装置１は、外光の色温度を測定する外光色温度センサ（図示せず）を備え、環境も加味した色温度調整を行うようにしてもよい。色温度調整に際し、ＭＰＵ１６及び画質調整回路２２では、色温度センサで測定された色温度だけでなく外光色温度センサで測定された色温度に従って、表示画像の色温度を調整する。この外光色温度センサは、上述の色温度センサと同様の構成で、光検出素子１１と同様の位置に設置すればよく、光検出素子１１及び外光輝度検出回路１２と一体で構成してもよい。そして、ＭＰＵ１６では、バックライト色温度検出回路１７からのカラー調整データと、外光色温度センサにおいて検出した色温度に基づき生成されたカラー調整データとから、実際のカラー調整データを生成し、そのカラー調整データ（及びコントラスト調整データ）に基づき、画質調整データを生成・出力すればよい。
【００４９】
以上、バックライト２０単体の輝度及び発光色の色温度を測定するセンサと外光の輝度（及び色温度）を測定するセンサとを設けて、バックライト２０の輝度を制御して画像表示部の明るさを適正に調整し、且つ画像表示部の画質調整回路２２の動作を制御することにより表示画像の色温度を適正に調整しているので、経年変化でバックライト２０用の蛍光管が劣化して発光効率が低下したり発色が変化しても、表示画面上はその明るさ及び色見を常に一定の状態で維持できる。従って、製品使用初期時から末期時まで安定した画質で映像を表示することができる。また、外光（環境光）の色温度に対する画面の見え方に関しても補正が可能となるため、より最適な視聴環境を提供できる。また、液晶パネル３０を介してバックライト光の輝度及び色温度を測定する構成を採用することで、液晶パネル３０の透過率特性が経年変化しても、表示画面上はその明るさ及び色味を常に一定の状態で維持できる。
【００５０】
図３は、図１の液晶表示装置における一部構成要素の他の配置を例示する概略図である。バックライト光に対する輝度センサや色温度センサの位置は、上述した位置に限ったものではなく、バックライト光の輝度を他の液晶パネル（調整画面用液晶パネル３５として図示）を介して検出する位置に配設されるようにしてもよい。この位置は、図３において、調整画面用光検出素子３７や調整画面用色検出素子３６として例示するように、調整画面用液晶パネル３５の表示画面の輝度や色温度が検出できる位置を指す。なお、図３では図２との位置の比較のためにバックライト用光検出素子１９を図示しているが、実際に直接輝度や色温度を検出する素子を併設して、それら全ての素子の検出値に基づく発光輝度や色味の調整を行ってもよい。
【００５１】
また、調整画面用液晶パネル３５は、液晶パネル３０と同じ性質で液晶パネル３０より表示領域が小さいものであればよい。さらに、バックライト２０と調整画面用液晶パネル３５との位置関係は、調整画面用液晶パネル３５に対し少なくともバックライト光が照射される関係にあればよいが、バックライト２０が液晶パネル３０へ照射する照度と同じ照度が得られるような位置関係がより好ましい。また、調整画面用液晶パネル３５を液晶パネル３０へのバックライト光を遮断しないような位置に設けることで、液晶パネル３０の画面位置による輝度差を無くすことができる。調整画面用液晶パネル３５は、実際には、バックライト２０と調整画面用液晶パネル３５との間に導光路を配設して、バックライト２０に対して液晶パネル３０の反対側や側面側に設けるなどすればよい。
【００５２】
図３で例示したように、液晶パネル３０とは別の液晶パネルを通したバックライト光の輝度や色温度を測定することで、液晶パネル３０の透過率特性が経年変化しても調整画面用液晶パネル３５も同様に経年変化するので、表示画面上はその明るさ及び色味を常に一定の状態で維持できる。さらに、測定用のセンサを視聴者が視認できない位置に設けることができる。
【００５３】
図４は、図１の液晶表示装置におけるバックライトとして採用できるハイブリッド型バックライトの一構成例を示す図である。ハイブリッド型のバックライト４０には、フレーム４１の底側に、複数の蛍光管４４及び複数のＬＥＤ（例えば赤色ＬＥＤ）４５の列が図４（Ｂ）で例示するように交互に配設されている。フレーム４１の底には、ＬＥＤ４５の設置場所以外に反射板が設けられ、蛍光管４４及びＬＥＤ４５からの光を反射するようになっている。また、フレーム４１には、拡散板４３や色むら防止の拡散シート４２が取り付けられ、これらにより蛍光管４４及びＬＥＤ４５からの直接光及び反射板による反射光を拡散させ、図示しない液晶パネルを照射する。
【００５４】
図４で例示したようなハイブリッド型のバックライト４０は、ＬＥＤ４５は経年変化が少ないが、蛍光管４４は輝度（及び色温度）の経年変化が激しく、それらのバランスが時間的に変化してしまうこととなる。しかしながら、本発明を適用して、図１乃至図３で例示したような測定輝度（及び色温度）に基づくバックライトの発光輝度の調整（及び画質調整）を行うことで、常に一定の明るさ（及び常に一定の色温度）での画像表示が可能となる。なお、この例においても測定対象のバックライト光としては、特別、蛍光管４４とＬＥＤ４５とで区別したものではなく、両方合わさったものである。また、バックライト４０に対しては基本的に蛍光管４４に対する駆動回路とＬＥＤ４５に対する駆動回路とが別個に具備されるため、図１のバックライト制御回路１３がそれぞれの駆動回路を制御する構成とすればよい。また、蛍光管４４の方が劣化が激しいことから、バックライト制御回路１３は、輝度センサでの測定値に従った発光輝度の制御を蛍光管４４のみに対して行うようにしてもよい。
【００５５】
また、図４で例示したようなハイブリッド型のバックライト４０に対して、色温度による画質調整処理を行う場合も、バックライト色温度検出回路１７（及び外光色温度センサ）から出力されたカラー調整データに基づき画質調整回路２２を制御すればよい。また、その代替案として、蛍光管４４とＬＥＤ４５との発光バランスを解消するように、ＭＰＵ１６がバックライト制御回路１３を制御してもよい。例えば、このカラー調整データに基づき、蛍光管４４又はＬＥＤ４５のいずれかの駆動回路を制御するように、ＭＰＵ１６がをバックライト制御回路１３を制御し、そのいずれか（蛍光管４４又はＬＥＤ４５）の駆動電圧を上げ下げしてそのいずれかの発光輝度を補正してもよい。この場合も、外光及びバックライト光の測定輝度に基づく蛍光管４４及びＬＥＤ４５の制御とは独立の制御（色温度調整のためのバックライト発光輝度調整）としてもよいが、双方鑑みた制御としてもよい。
【図面の簡単な説明】
【００５６】
【図１】本発明の一実施形態に係る液晶表示装置の一構成例を示すブロック図である。
【図２】図１の液晶表示装置における一部構成要素の配置を例示する概略図である。
【図３】図１の液晶表示装置における一部構成要素の他の配置を例示する概略図である。
【図４】図１の液晶表示装置におけるバックライトとして採用できるハイブリッド型バックライトの一構成例を示す図である。
【図５】蛍光管のスペクトル特性の一例を示す図である。
【図６】蛍光管の輝度の経年変化の一例を示す図である。
【図７】蛍光管における輝度と色温度との関係の一例を示す図である。
【符号の説明】
【００５７】
１…液晶表示装置、１１，１９…光検出素子（外光用光検出素子）、１２…外光輝度検出回路、１３…バックライト制御回路、１４…バックライト駆動回路、１５…バックライト輝度検出回路、１６…ＭＰＵ、１７…バックライト色温度検出回路、１８…色温度検出素子、１９…光検出素子（バックライト用光検出素子）、２０…バックライト、２１…信号処理回路、２２…画質調整回路、２３…拡散板、３０…液晶パネル、３１…表示画面用色検出素子、３２…表示画面用光検出素子、３５…調整画面用液晶パネル、３６…調整画面用色検出素子、３７…調整画面用光検出素子、４０…ハイブリッド型のバックライト、４１…フレーム、４２…拡散シート、４３…拡散板、４４…蛍光管、４５…ＬＥＤ。
【図１】
2008009090.tif 000003
【図２】
2008009090.tif 000004
【図３】
2008009090.tif 000005
【図４】
2008009090.tif 000006
【図５】
2008009090.tif 000007
【図６】
2008009090.tif 000008
【図７】
2008009090.tif 000009